(57)【要約】      （修正有）【課題】ヒトまたは動物の検体濃度をインビボで測定するシステムに関する。【解決手段】システムは、検体濃度を示す測定信号を発生する交換式センサ３、センサの較正データが格納されたデータ記憶媒体１１、およびセンサ３とデータ記憶媒体１１が接続される基地局２を有するとともに、センサ３の測定信号を、較正データを用いてセンサ３の測定信号を評価する評価ユニットに転送することができる。システムは、分離された少なくとも２つのチャンバ１３，１４を備えたハウジング１２を有し、第１のチャンバ１３には少なくとも１つのセンサ３が滅菌状態で収容され、第２のチャンバ１４にはデータ記憶媒体１１が収容されており、さらにハウジング１２は、インターフェイスに設置したとき、センサ３とデータ記憶媒体１１を基地局２に接続する。さらに、交換部品のための包装システムと、センサ３を包装する方法に関する。【選択図】図２
2008253751.tif 000002
【特許請求の範囲】
【請求項１】
ヒトまたは動物の身体の検体濃度をインビボで測定するシステムであって、
測定対象の検体濃度と相関している測定データを発生する、交換部品としての少なくとも１つの交換式センサ（３）と、
前記センサ（３）についての較正データが格納された少なくとも１つのデータ記憶媒体（１１）と、
前記少なくとも１つの交換式センサ（３）と前記データ記憶媒体（１１）を接続することができる基地局（２）とを有し、
測定中に、接続された前記センサ（３）が発生した測定信号を、前記データ記憶媒体（１１）から読み取った、接続された前記センサ（３）についての前記較正データを用いて、接続された前記センサ（３）が発生した前記測定信号を評価する評価ユニット（４７）に転送するシステムにおいて、
分離された少なくとも２つのチャンバ（１３、１４）を備えたハウジング（１２）を有し、第１のチャンバ（１３）には前記少なくとも１つのセンサ（３）が滅菌状態で収容され、第２のチャンバ（１４）には前記センサ（３）についての前記較正データが格納された前記データ記憶媒体（１１）が収容されており、さらに前記ハウジング（１２）は、前記基地局（２）のインターフェイスに設置したとき、前記ハウジング（１２）に収容された前記センサ（３）と前記データ記憶媒体（１１）を前記基地局（２）に接続するために、前記インターフェイスに連結できるようになっていることを特徴とするシステム。
【請求項２】
前記ハウジング（１２）は、前記ハウジング（１２）をインターフェイスに設置したとき前記基地局（２）に接続される、前記基地局（２）に電力を供給する使い捨て部品としてのバッテリ（５）をさらに収容していることを特徴とする請求項１記載のシステム。
【請求項３】
前記ハウジング（１２）は、前記センサ（３）が収容された前記チャンバ（１３）を密封するハウジングの一部分（１７、４４）を切り離すための切取線（１７）が形成されていることを特徴とする請求項１または２記載のシステム。
【請求項４】
前記センサ（３）は、前記基地局（２）に配置されたポテンショスタット（４８）に測定中は接続される電気化学測定用のセンサであることを特徴とする請求項１〜３のいずれか１項に記載のシステム。
【請求項５】
前記評価ユニット（４７）は、前記基地局（２）に配置されることを特徴とする請求項１〜４のいずれか１項に記載のシステム。
【請求項６】
前記センサ（３）が収容されたハウジング（１２）は、インターロッキングによってまたは締着具を用いて前記基地局（２）に取り付けられることを特徴とする請求項１〜５のいずれか１項に記載のシステム。
【請求項７】
前記ハウジング（１２）は、インビボ測定の実施中に、前記基地局（２）に取り付けられた状態を保持するように構成されていることを特徴とする請求項１〜６のいずれか１項に記載のシステム。
【請求項８】
前記ハウジング（１２）は、インビボ測定の実施前に、前記基地局（２）から完全にまたは部分的に切り離すように構成された包装兼用のハウジングであることを特徴とする請求項１〜７のいずれか１項に記載のシステム。
【請求項９】
前記ハウジング（１２）および／または前記基地局（２）は、前記ハウジング（１２）を前記基地局（２）の前記インターフェイスに設置したとき、前記センサ（３）および／または前記データ記憶媒体（１１）が前記基地局（２）に容易に接続されるよう、バネ（９、２０）が設けられていることを特徴とする請求項１〜８のいずれか１項に記載のシステム。
【請求項１０】
前記ハウジング（１２）に収容された前記部品（３、５、７）を前記基地局（２）に接続したとき、前記システム（１）が、とりわけ測定信号の発生と評価を実施するプログラムが初期化されることを特徴とする請求項１〜９のいずれか１項に記載のシステム。
【請求項１１】
インビボ測定を実施するための、請求項１〜１０のいずれか１項に記載の前記システム（１）に用いられる交換部品のための包装システムにおいて、
分離された少なくとも２つのチャンバ（１３、１４）が設けられたハウジング（１２）と、
測定対象の検体濃度と相関している測定信号を発生する、第１の部品としての少なくとも１つのセンサ（３）と、
前記センサ（３）についての較正データが格納された、第２の部品としてのデータ記憶媒体（１１）とを有し、
前記センサ（３）は前記ハウジング（１２）の前記第１のチャンバ（１３）に無菌状態で収容され、前記センサ（３）についての前記較正データが格納された前記データ記憶媒体（１１）はハウジング（１２）の前記第２のチャンバ（１４）に収容されることを特徴とする包装システム。
【請求項１２】
検体濃度をインビボで測定するセンサ（３）、および前記センサ（３）についての較正データが格納されたデータ記憶媒体（１１）を包装する方法において、
前記センサ（３）をハウジングの第１のチャンバ（１３）に配置する段階と、
前記ハウジングの第１のチャンバ（１３）を密封する段階と、
前記ハウジングの第１のチャンバ（１３）に収容された前記センサ（３）を、照射によって滅菌する段階と、
前記データ記憶媒体（１１）をハウジングの第２のチャンバ（１４）に配置する段階と、
前記ハウジングの第２のチャンバ（１４）を封止する段階とを含むことを特徴とする方法。
【発明の詳細な説明】
【技術分野】
【０００１】
本発明は、ヒトまたは動物の身体の検体濃度をインビボで測定するシステムに関し、システムは、測定対象の検体濃度と相関している測定信号を発生する交換式センサ、センサについての較正データが格納されたデータ記憶媒体、および少なくとも１つの交換式センサと、そのセンサについての較正データが格納されたデータ記憶媒体を接続することができる基地局を有し、さらに、測定中に、接続されたセンサが発生した測定信号を、データ記憶媒体から読み取った、接続されたセンサについての較正データを用いて、接続されたセンサが発生した測定信号を評価する評価ユニットに転送することができる。本発明は、さらに、上述した測定システムに用いられる交換部品のための包装システムと、センサと、センサについての較正データが格納されたデータ記憶媒体を包装する方法に関する。
【背景技術】
【０００２】
原則として、たとえば血液や間質液のような、検体としての体液の濃度を測定するセンサは、予め定められた測定精度を有するように製造することはできない。それは、製造バッチ毎にかなりの誤差が一般に生じるからである。従って、医療の分野において、インビボ測定によって得られたセンサからの信号に基づいて検体濃度を満足のいく正確さを持って測定するためには、センサそのものを、または関連した製造バッチから無作為に抽出したセンサを検査することによって決められた較正データが必要になる。一般に、そのような較正データを用いることにより、理想とするセンサ精度と判定されたセンサ精度の差が明確になる。
【０００３】
検体濃度をインビボにおいて測定するシステムは、基本的に、交換または使い捨て部品としての交換式センサ、および交換式センサが接続される長寿命の基地局を有する。このために、センサの交換毎に、新たな較正デ−タをシステムに入力しなければならないという問題が生じる。
【０００４】
原則的には、これらの較正データは、センサと同梱の印刷物として提供し、ユーザが手動でシステムに入力することが可能である。しかし、この方法には入力ミスを起こす可能性があり、入力ミスの危険性を回避するためには、各々のセンサまたはセンサ包装体に、較正データが格納されたデータ記憶媒体を添付する方がより効果的である。
【０００５】
この解決策も完全ではなく、ユーザが、別のセンサについてのデータ記憶媒体を使用した場合には、正しくない較正データがシステムに入力されるために、測定結果が誤ったものになる危険性がある。
【発明の開示】
【発明が解決しようとする課題】
【０００６】
従って、本発明は、巻頭に説明した種類のシステムの信頼性を向上させ、かつユーザにとって操作がより容易になる方法を開示することを目的とする。
【課題を解決するための手段】
【０００７】
本発明によると、この目的は、ハウジングに、分離された少なくとも２つのチャンバを設けることによって達成され、この場合、第１のチャンバには少なくとも１つのセンサが滅菌状態で収容され、第２のチャンバにはセンサについての較正データが格納されたデータ記憶媒体が収容されており、さらにハウジングは、インターフェイスに設置したとき、ハウジングに収容されたセンサおよびそれに関連したデータ記憶媒体を基地局に接続するために、基地局のインターフェイスに連結できるようになっている。
【０００８】
本発明による措置を講ずることの利点は、センサと基地局の接続および較正データの入力が、非常に容易になるということである。センサとデータ記憶媒体は、それらが内蔵されたハウジングを、基地局のインターフェイスに設置するだけの、１回の操作で基地局に接続することができる。このように構成することによって、データ記憶媒体を取り違えるまたは別のセンサに接続するという危険を、効果的に回避することが可能になる。
【０００９】
少なくとも１つのセンサと、それに関連したデータ記憶媒体が収容されたハウジングは、インビボ測定を実施する前に、基地局から完全にまたは部分的に切り離すように構成された包装兼用のハウジングである。しかし、使用中に、つまりインビボ測定の実施中に、ハウジングを基地局に取り付けられた状態を保持するように構成することも可能である。
【００１０】
上述した解決策を見出すために、発明者は、次の課題を解決しなければならなかった。すなわち、インビボ測定システムのセンサは、患者の体内に挿入されるために、滅菌されていなければならないということである。単一のハウジング内にデータ記憶媒体とともに包装した場合、通常の、つまり強力な照射による滅菌処理を実施するには、多くの困難が伴う。電子的または電磁的なデータ記憶媒体は、滅菌のための必要線量の照射によって障害を被るために、滅菌が必要なセンサとデータ記憶媒体が収容された密封ハウジングに対して照射することは、不可能である、または特別仕様の、非常に高価なデータ記憶媒体が用いられている場合にだけ可能である。しかし、滅菌処理の後にセンサを包装する場合にも、ハウジングを密封する最後の段階まで、包装工程中は滅菌状態を維持しなければならないために、大変な努力が必要になる。
【００１１】
これらの課題に対する、本発明による解決策を用いることによって、センサと、それに関連したデータ記憶媒体が収容される、分離された少なくとも２つのチャンバを備えた、高費用効率の滅菌包装体を容易に形成することができる。センサと、それに関連したデータ記憶媒体を包装する場合、まず、センサをハウジングの第１のチャンバに配置した後にハウジングを密封し、次いで、照射によってハウジングの第１のチャンバ内のセンサが滅菌される。滅菌処理が完了した後に、データ記憶媒体をハウジングの第２のチャンバに収容するとともに、第２のチャンバを密封する。センサと、それに関連したデータ記憶媒体を包装するこの方法も、本発明の一観点である。
【００１２】
本発明の別の観点は、本発明によるインビボ測定システムに用いられる交換部品のための包装するシステムに関し、この包装システムは、分離された少なくとも２つのチャンバが設けられたハウジング、測定対象の検体濃度と相関している測定信号を発生する少なくとも１つのセンサ、および少なくとも１つのセンサについての較正データが格納されたデータ記憶媒体を有し、センサは、ハウジングの第１のチャンバに無菌状態で収容され、このセンサについての較正データが格納されたデータ記憶媒体は、ハウジングの第２のチャンバに収容される。
【発明を実施するための最良の形態】
【００１３】
以下、添付図面を参照しつつ、実施形態に基づいて、本発明のさらなる詳細と利点について説明する。互いに対応した同一の構成要素については、同じ参照符号を付すことによって明確にされている。下記の特徴は、単独でまたは互いに組み合わせることによって、特許請求の範囲の目的を構成する。
【００１４】
図１は、基地局２に接続され、測定対象の検体濃度と相関している測定信号を発生するセンサ３を用いて、ヒトまたは動物の身体の検体濃度をインビボで測定するシステム１の基地局２の略図である。図１において、ヒトまたは動物の身体は、ボックス４を用いて象徴的に示されており、インビボ測定のためのセンサ３が挿入されている。システム１は、センサ３の他に、基地局２に接続された、もう一つの使い捨てまたは交換部品としてのバッテリ５を有する。
【００１５】
基地局２は、インビボ測定の実施中は患者の身体に固定されるように構成されているとともに、接続された電気化学測定用のセンサ３に電流を供給し、かつセンサ３の参照電極に対する、センサ３の測定電極の電圧を予め設定された値に保持するポテンショスタットを有する。基地局２は、また、測定中に、接続されたセンサ３が発生した測定信号を、較正データを用いて評価する電子的な評価ユニットを有する。しかし、原則的には、基地局とは別の、たとえば無線またはデータ転送ラインによって測定信号が入力される装置に評価ユニットを配置することも可能である。
【００１６】
図１には、センサ３を接続するために基地局２に設けられた接続端子６ａ、６ｂ、６ｃと、バッテリ５に接続するために基地局２に設けられた接続端子７ａ，７ｂが示されている。基地局２は、また、較正データが格納されたデータ記憶媒体に接続して読み出すための、少なくとも１つのデータ入力端子８ａ、８ｂを有し、データ記憶媒体は、較正データの読取後に基地局２から切り離すことが可能であるために、図１の操作段階では図示されていない。データ入力端子８ａ、８ｂは、付勢力を用いることによってデータ記憶媒体との連結を容易にするためのバネ９を介して接続される。データ記憶媒体は、データの入力が電気的な接続によって行われるよう、記憶チップであることが好ましい。例示すると、データ記憶媒体は、磁気的なデータ記憶媒体であってよく、その場合、データ入力端子８ａ、８ｂは、読取ヘッドを有していてもよい。
【００１７】
図２は、図１に示した基地局に交換部品が接続される前の状態を示す略図である。図２には、さらに、交換部品（とりわけセンサ３、バッテリ５、および較正データが格納されたデータ記憶媒体１１）のための包装システム１０が模式的に示されている。交換部品は、基地局２とともに、ヒトまたは動物の身体の検体濃度をインビボで測定するシステム１を構成する。包装システム１０は、分離された少なくとも２つのチャンバ１３、１４、１５が画成されたハウジング１２を有し、第１のチャンバ１３には、センサ３が滅菌状態で収容されており、また第２のチャンバには、センサ３の較正データが格納されたデータ記憶媒体１１が収容される。図示した実施形態において、バッテリ５は、第３のチャンバ１５に収容される。
【００１８】
ハウジング１２は、基地局２のインターフェイスに設置することによって、収容されているセンサ３とそのためのデータ記憶媒体１１が基地局２に接続される。図３は、交換部品３、５、１１と接続するために、ハウジング１２が、基地局２のインターフェイスに設置された状態を示す略図である。交換部品３、５、１１が接続されたとき、測定システム１は自動的に初期化され、また測定の手順も初期化される。
【００１９】
ハウジング１２に収容された交換部品３、５、１１を接続するために、ハウジング１２、とりわけ滅菌状態のチャンバ１３が開かれる。この開ける操作を容易にするために、図示した実施形態のハウジング１２には、切取線１６が設けられている。これにより、ユーザは、ハウジング１２の内部でチャンバ１３、１４、１５を隔離するように構成されたハウジングの一部分１７を、容易に切り離すことができる。この切り離し可能なハウジングの一部分１７は、たとえば蓋として構成することもできる。ここに図示した実施形態において、ハウジングの一部分１７は、センサ３が収容された滅菌状態のチャンバ１３と、データ記憶媒体１１とバッテリ５が収容されたチャンバ１４、１５の両方を密封する。しかし、各々別々に切り離す必要がある分離された、複数のハウジングの一部分によって、チャンバ１３、１４、１５を密封することも可能である。とりわけ、データ記憶媒体１１やバッテリ５が収容されている非滅菌状態の、たとえばチャンバ１４、１５のようなチャンバを密封するときには、切り離し可能なシート材などを用いることもできる。
【００２０】
ハウジング１２には、基地局２のインターフェイスにハウジング１２を設置するとき、バッテリ５との接続を容易にするためのバネ２０が設けられている。同様に、バネを、センサ３との接続を容易にするために第１のチャンバ１３に、および／またはデータ記憶媒体１１との接続を容易にするために第２のチャンバ１４に設けることもできる。
【００２１】
図示した実施形態において、ハウジング１２と基地局２のインターフェイスは、ハウジング１２をインターフェイスに設置したとき、バッテリ５とデータ記憶媒体１１がまず基地局に接続され、その後に限り、基地局２に設けられた接点６ａ、６ｂ、６ｃを介してセンサ３が接続されるように構成されている。図示した実施形態において、センサ３は、平板構造を有し、基地局２には無抵抗プラグ３ａを介して接続される。センサ３は、また、サンドイッチ構造または接続される接点６ａ、６ｂ、６ｃに対して回転対称になるように構成することも可能である。
【００２２】
図示した実施形態においては環状シールに構成されているが、基地局２のシール２１は、湿気が基地局２に浸入しないよう、センサ３と基地局２を連結するとき、互いのあいだを水密にする。従って、基地局２は、体液によって好ましくない影響を受ける危険性がないために、たとえば患者の腹部に置くことができる。シール２１は、基地局２と、それに連結されたセンサ３のあいだを確実に密封する。これにより、漏れ電流による障害を被ることなく、ポテンショスタットから電気化学測定用のセンサとしてのセンサ３に電力を供給することができる。
【００２３】
図示した実施形態において、ハウジング１２は、ブリスター包装に形成されている。区画は、ハウジング１２の底とチャンバ１３、１４、１５の壁を構成するブリスター包装のプラスチックの部分に形成されている。包装を行う場合、図４に示すように、まずセンサ３をハウジングの第１のチャンバ１３に配置し、そしてチャンバ１３を密封する。次いで、ハウジングのチャンバ１３に収容されたセンサ３は、放射によって滅菌処理される。滅菌処理には、線量２０ｋＧｙの電子線ｅが特に好適である。とりわけ好適なのは線量２８ｋＧｙの電子線である。
【００２４】
図５は、包装を行う場合の別の段階を示しているが、データ記憶媒体１１が、ハウジングの第１のチャンバ１３に収容されたセンサ３についての較正データ３０とともに示されている。これらの較正データ３０は、滅菌処理が完了した後に、１つの製造バッチをランダムに検査することによって決められる。その後に、データ記憶媒体１１はハウジングの第２のチャンバ１４に、そしてバッテリ５は第３のチャンバ１５に配置される。次いで、チャンバ１４、１５は密封される。ハウジングのチャンバ１３、１４、１５は、ブリスター包装では一般的なプラスチックまたは金属のシート材を用いて密封される。
【００２５】
最後の段階は、交換部品が収容されたハウジング１２を、たとえばシート状のプラスチック製外側包装材を用いて包装することによって、販売用の完成した包装システム１０を形成することである。図６は、外側包装材３１で包装された包装システム１０を示す。
【００２６】
図１〜６を参照しつつ先に説明した実施形態において、交換部品を収容したハウジング１２は、インビボ測定を実施する前に基地局２から切り離すように構成された包装兼用のハウジングである。図７〜９を参照しつつ、次に、別の実施形態について説明するが、そこでは、交換部品が収容されたハウジング１２は、インビボ測定の実施中も基地局２に取り付けられた状態を保持する。
【００２７】
図７は、システム１用の交換部品が収容されたハウジング１２が取り付けられた基地局２の斜視図である。図８は、図７に示したシステム１の断面図であり、システム１は、センサ３が収容され、滅菌処理されたチャンバ１３、およびバッテリ５と、センサ３についての較正データが格納されたデータ記憶媒体１１が収容された第２のチャンバ１４を備える。基地局２には、センサ３に電流と電力を供給するためのポテンショスタット４８と、測定中に、接続されているセンサ３が発生した測定信号を、データ記憶媒体１１から読み出したセンサ３についての較正データ１１を用いて評価する、マイクロプロセッサとして構成された評価ユニット４７が設けられている。しかし、原則的には、ポテンショスタット４８は、電気抵抗を大きくすることによって、基地局２を密封する手段を簡素化できるよう、使い捨て部品として形成して、センサ３とともにハウジング１２に収容することもできる。また、評価ユニット４７は、基地局２とは別体であり、基地局２からのデータを受信可能な種々の装置に配置することができる。
【００２８】
使い捨て部品を囲繞するハウジング１０は、基地局２に用いられているのと同様な、硬質のプラスチックを用いて形成される。図示した実施形態において、基地局２と、使い捨て部品が収容されたハウジング１２のあいだのインターフェイスは、連結時にインターロックするように構成されている。ハウジング１２には、基地局２の凹みに係合する嵌入突起４０が設けられている。これらの凹みは、嵌合突起が付勢力によって凹みに押圧されるよう、２つのバネ様脚部４１の外面に設けられている。バネ様脚部４１は圧縮することができるようになっているために、使い捨て部品が収容されたハウジング１２の嵌入突起４０を凹みから離脱させることによって、ハウジング１２を基地局２から切り離すことができる。同様に、バネ様脚部４１を圧縮した状態のとき、使い捨て部品が収容されたハウジング１２を基地局２に取り付けることができる。
【００２９】
また、連結時にインターロックさせる構造に替えてまたはそれに追加して、使い捨て部品が収容されたハウジングは、締着具を用いて基地局２に固定するように構成することができる。
【００３０】
図８の断面図には、分離された２つのチャンバ１３、１４を備えたハウジング１２が示されており、第１のチャンバ１３にはセンサ３が滅菌状態で収容され、第２のチャンバ１４には、センサ３についての較正データが格納されたデータ記憶媒体１１、および基地局２に電力を供給するバッテリ５が収容されている。センサ３に接続されたリード線が、第１のチャンバ１３から第２のチャンバ１４に延出し、そして記憶チップとして構成されたデータ記憶媒体１１に接続された回路基板４５に接続されている。回路基板４５は、プラグ式連結器４６を用いて基地局２に接続されるが、それは、図示した実施形態においては多極連結器である。
【００３１】
センサ３を収容した無菌状態のチャンバ１３は、隔壁４２によって密封されていて、センサ３をヒトまたは動物の身体に挿入するための挿入針４３は、隔壁４２を通過するようになっている。チャンバ１３から突出した挿入針４３の先端は、滅菌された保護キャップ４４によって覆われており、保護キャップ４４は、センサ３をヒトまたは動物の身体に挿入するときになって初めて、挿入針４３により取り外される。図示した実施形態において、無菌状態の保護キャップ４４は、切取線１６を介してハウジング１２に連結されている。
【００３２】
センサ３を挿入するとき、包装システムと基地局は、たとえば患者の腹部に置かれ、そして挿入針４３は、患者の身体に刺される。次いで、センサ３を搬送する、たとえば管路として形成された挿入針４３は、患者の身体から抜き出されるが、センサ３は患者の体内に留まる。
【００３３】
センサ３と、センサ３についての較正データが格納されたデータ記憶媒体１１を包装する場合、センサ３をハウジングの第１のチャンバ１３にまず配置した後に、第１のチャンバは密封される。図８に示したシステム１についての実施形態を形成する場合、滅菌状態に保持するための保護キャップ４４は、この操作段階にあるときに、ハウジングの第１のチャンバ１３から突出したセンサ３、およびセンサ３を保持した挿入針４３の端部側から装着した後、ハウジングのチャンバ１３に取り付けられる。次いで、ハウジングのチャンバ１３には、強力な電子線が照射され、これにより、センサ３と挿入針４３は滅菌される。図９は、滅菌状態に保持するための保護キャップ４４が取り付けられたハウジングの第１のチャンバ１３の斜視図であり、この構造体は、センサ３を装着した後に、照射により全体が滅菌される。
【００３４】
別の段階において、ハウジングの第１のチャンバ１３は、使い捨て部品が収容されたハウジングを、そして測定システム１に用いられる使い捨て部品のための、上述した包装システム１０を形成するために、第２のチャンバ１４と組み合わされる。
【図面の簡単な説明】
【００３５】
【図１】ヒトまたは動物の身体の検体濃度をインビボで測定するシステムの、基地局とそれに接続されたセンサの略図である。
【図２】図１の実施形態の基地局と、交換部品を基地局に連結する前の包装システムの実施形態体を示す略図である。
【図３】基地局に対する交換部品の接続状態を示す包装システムの略図である。
【図４】図２の包装システムを形成するときの一段階を示す略図である。
【図５】包装システムを形成するときの別の段階を示す略図である。
【図６】外側包装材を用いて包装された包装システムの略図である。
【図７】ヒトまたは動物の身体の検体濃度をインビボで測定する、本発明によるシステムの別の実施形態の斜視図である。
【図８】図７に示したシステムの断面図である。
【図９】図７と図８に示した実施形態によるセンサを収容したハウジングの斜視図である。
【符号の説明】
【００３６】
１  検体濃度のインビボ測定用システム
２  基地局
３  センサ
４  人体
５  バッテリ
６ａ、６ｂ、６ｃ  接続端子
７ａ、７ｂ  接続端子
８ａ、８ｂ  基地局のデータ入力
９  バネ要素
１０  測定システムの消費要素のための包装システム
１１  データ記憶媒体
１２  消費要素を含むハウジング
１３  ハウジングチャンバ
１４  ハウジングチャンバ
１５  ハウジングチャンバ
１６  切取線
１７  ハウジングの一部分
２０  バネ要素
３０  較正データ
３１  外部パッケージ
４０  嵌入突起
４１  基地局２のバネ様の脚
４２  隔壁
４３  挿入針
４４  滅菌された保護キャップ
４５  回路基板
４６  プラグ式連結器
４７  評価ユニット
４８  ポテンショスタット
【図１】
2008253751.tif 000003
【図２】
2008253751.tif 000004
【図３】
2008253751.tif 000005
【図４】
2008253751.tif 000006
【図５】
2008253751.tif 000007
【図６】
2008253751.tif 000008
【図７】
2008253751.tif 000009
【図８】
2008253751.tif 000010
【図９】
2008253751.tif 000011
【外国語明細書】
2008253751000001.pdf
2008253751000002.pdf
2008253751000003.pdf
2008253751000004.pdf